(57)【要約】【課題】簡単な構造でコストが安価であり、組立作業やメンテナンスが容易であり、開閉操もしやすい内外障子の開閉装置を提供する。【解決手段】建築物躯体に取り付けられた外枠１２と、外枠１２の開口部内側に互いに対面して設けられた内障１４子と外障子１６を有する。内障子１４と外障子１６は、各々外枠１２の同じ一辺と平行であって互いに平行な支持軸２２，３４に軸支されている。内障子１４と外障子１６の、互いに対面する面には、一方に連結突起３６を備え、他方に連結突起３６が摺動可能に保持される連結金具２６を備える。連結金具２６と連結突起３６は、内障子１４と外障子１６の框１８，３０に取り付けられている。【選択図】図１
2016121498.tif 000002
【特許請求の範囲】
【請求項１】
建築物躯体に取り付けられた外枠と、前記外枠の開口部内側に互いに対面して設けられた内障子と外障子が設けられ、前記内障子と前記外障子は、各々前記外枠の同じ一辺と平行であって互いに平行な支持軸で回転可能に取り付けられ、前記内障子と前記外障子の、互いに対面する面には、一方に連結突起が設けられ、他方に前記連結突起が摺動可能に保持される連結金具が設けられ、前記連結突起の摺動方向は、前記内障子と前記外障子が回転する前記支持軸に対して交差する方向であることを特徴とする内外障子の開閉装置。
【請求項２】
前記連結金具と前記連結突起は、前記内障子または前記外障子の框に取り付けられている請求項１記載の内外障子の開閉装置。
【請求項３】
前記連結金具は断面形状が一定の長尺部材であり、前記内障子または前記外障子に取り付けられる一方向に長い矩形の板体である取付部と、前記取付部の長手方向に沿う一対の側縁部に連続し前記取付面に対して所定角度で立ち上がる一対の側面部と、前記一対の側面部の側縁部に連続し前記取付部に所定角度で対面する一対の係止部で形成され、前記一対の係止部の先端部どうしは互いに離間してスリットとなり、前記スリットは、前記連結突起が差し込まれて摺動可能に保持する請求項１記載の内外障子の開閉装置。
【請求項４】
前記連結金具は断面形状が一定の長尺部材であり、前記内障子または前記外障子の框の開口部内側の面に取り付けられる一方向に長い矩形の板体である取付部と、前記取付部の長手方向に沿う一方の側縁部に連続し前記取付部に対して所定角度で立ち上がる側面部で形成され、前記側面部には、前記側面部の長手方向に沿うスリットが形成され、前記スリットは、前記連結突起が差し込まれて摺動可能に保持される請求項１記載の内外障子の開閉装置。
【請求項５】
前記内障子又は前記外障子は、框に２枚のガラス板が所定間隔離れて取り付けられたペアガラスが取り付けられている請求項１記載の内外障子の開閉装置。
【発明の詳細な説明】
【技術分野】
【０００１】
この発明は、建物の開口部に取り付けられた２重ガラス窓を開閉する内外障子の開閉装置に関する。
【背景技術】
【０００２】
従来、窓構造の断熱性を高めて、外気の気温の影響を抑え室内の温度変化を小さくするために、開口部に内障子と外障子を２重に取り付けた２重ガラス窓がある。さらに、内障子と外障子を、２枚のガラス板を互いに離間させて取り付けたペアガラスで作り、断熱性をより高めたものがある。このような内外障子を開閉させる開閉装置として、例えば、特許文献１に開示されている内開き内倒し窓における内外障子の開閉装置や、特許文献２に開示されている二重ガラス窓の内側障子開閉装置がある。
【先行技術文献】
【特許文献】
【０００３】
【特許文献１】実開昭６３−５１７８号公報
【特許文献２】実開昭６１−１６８２９２号公報
【発明の概要】
【発明が解決しようとする課題】
【０００４】
上記背景技術の特許文献１に開示された開閉装置の場合、内外障子が一体に設けられ、ヒンジ部に掛かる負荷が大きく、部品点数が多く、構造が複雑であり、コストがかかるものである。さらに、組立作業やメンテナンスが複雑で、時間と手間がかかるものである。
【０００５】
また、特許文献２に開示された開閉装置の場合、内障子のみを開閉するものであり、内外障子を同時に開閉することができず、上記と同様の問題がある。
【０００６】
この発明は、上記背景技術の問題点に鑑みてなされたものであり、簡単な構造でコストが安価であり、組立作業やメンテナンスが簡単であり、また開閉操作が容易で使用しやすい内外障子の開閉装置を提供することを目的とする。
【課題を解決するための手段】
【０００７】
本発明は、建築物躯体に取り付けられた外枠と、前記外枠の開口部内側に互いに対面して設けられた内障子と外障子が設けられ、前記内障子と前記外障子は、各々前記外枠の同じ一辺と平行であって互いに平行な支持軸で回転可能に取り付けられている内外障子の開閉装置である。前記内障子と前記外障子の、互いに対面する面には、一方に連結突起が設けられ、他方に前記連結突起が摺動可能に保持される連結金具が設けられ、前記連結突起の摺動方向は、前記内障子と前記外障子が回転する前記支持軸に対して交差する方向である。
【０００８】
また、前記連結金具と前記連結突起は、前記内障子または前記外障子の框に取り付けられている。
【０００９】
前記連結金具は断面形状が一定の長尺部材であり、前記内障子または前記外障子に取り付けられる一方向に長い矩形の板体である取付部と、前記取付部の長手方向に沿う一対の側縁部に連続し前記取付面に対して所定角度で立ち上がる一対の側面部と、前記一対の側面部の側縁部に連続し前記取付部に所定角度で対面する一対の係止部で形成されている。前記一対の係止部の先端部どうしは互いに離間してスリットとなり、前記スリットは、前記連結突起が差し込まれて摺動可能に保持するものである。
【００１０】
前記連結金具は断面形状が一定の長尺部材であり、前記内障子または前記外障子の框の開口部内側の面に取り付けられる一方向に長い矩形の板体である取付部と、前記取付部の長手方向に沿う一方の側縁部に連続し前記取付部に対して所定角度で立ち上がる側面部で形成されている。前記側面部には、前記側面部の長手方向に沿うスリットが形成され、前記スリットは、前記連結突起が差し込まれて摺動可能に保持されるものである。
【００１１】
前記内障子又は前記外障子は、框に２枚のガラス板が所定間隔離れて取り付けられたペアガラスが取り付けられているものである。
【発明の効果】
【００１２】
本発明の内外障子の開閉装置は、簡単な構造でコストが安価であり、組立作業やメンテナンスが簡単であり、また開閉操作が容易で使用しやすいものである。これにより、内障子と外障子が設けられた２重ガラス窓を断熱性の高い住宅などに手軽に取り入れて、窓を大きくまたは多く作ることができ、利用者が快適に生活することができる。
【図面の簡単な説明】
【００１３】
【図１】この発明の第一実施形態の内外障子の開閉装置の横断面図である。
【図２】この発明の第一実施形態の内外障子の開閉装置の縦断面図である。
【図３】この発明の第一実施形態の内外障子の開閉装置の連結金具と連結突起の斜視図である。
【図４】この発明の第一実施形態の内外障子の開閉装置の窓枠から内障子と外障子を開いた状態を示す横断面図である。
【図５】この発明の第二実施形態の内外障子の開閉装置の横断面図である。
【図６】この発明の第二実施形態の内外障子の開閉装置の縦断面図である。
【図７】この発明の第二実施形態の内外障子の開閉装置の窓枠から内障子と外障子を開いた状態を示す横断面図である。
【図８】この発明の第三実施形態の内外障子の開閉装置の連結金具と連結突起の斜視図である。
【発明を実施するための形態】
【００１４】
以下、この発明の実施形態について図面に基づいて説明する。図１〜図４はこの発明の第一実施形態を示すもので、この実施形態の内外障子の開閉装置１０は、建築物躯体に取り付けられた木製の外枠１２と、外枠１２の開口部内側に互いに対面して設けられこの開口部を開閉可能な内障子１４と外障子１６が設けられているものである。内外障子の開閉装置１０は、内障子１４と外障子１が、屋外側に開く外開きタイプである。
【００１５】
内障子１４は、外枠１２の開口部内側に、外枠１２の室内側の面同士がほぼ面一となるようにはめ込まれて取り付けられている。内障子１４の周縁部は木製の框１８で形成され、上端部が上框１８ａ、下端部が下框１８ｂ、左右の側縁部が縦框１８ｃである。一対の縦框１８ｃの、図１において右側に位置する縦框１８ｃには、室内側の面に、内障子１４を開閉操作するときに保持するハンドル２０が取り付けられている。他方の縦框１８ｃには、室外側の面に、内障子１４を開閉する支持軸２２が取り付けられている。支持軸２２は、外枠１２の開口部内側面で外枠１２の厚みの中間付近に固定されている。框１８の開口部内側には、２枚のガラス板２４を互いに離間させて平行に取り付け、断熱性が高いペアガラスとなっている。２枚のガラス板２４の間の空間には、断熱性を向上させるためにクリプトンガス等が充填されていてもよい。また、ガラス板２４の内側の面に、断熱性を向上させるために特殊な金属膜が設けられていてよい。
【００１６】
内障子１４の上框１８ａには、室外側の面に、後述する連結金具２６に摺動可能に係合される連結突起３６が固定されている。連結突起３６は、ハンドル２０が設けられている方の縦框１８ｃに対して交差するように突設されている。連結突起３６は例えばボルトで形成され、連結金具２６のスリット２８にボルトの頭部がゆとりを有して差し込まれる径である。連結突起３６は、取付具３８により上框３０ａに固定されている。取付具３８には、上框３０ａの室外側の面に対してほぼ平行に位置する板部が設けられ、板部には連結突起３６の、頭部とは反対の端部が挿通される穴又はスリットが設けられ、連結突起３６の端部が差し込まれて板部の裏面からナット４０が螺合されて抜け落ちないように係止されている。なお、連結突起３６は連結金具２６のスリット２８に挿通させて連結突起３６の頭部が連結金具２６の内側に係止されて抜け落ちない状態で取付具３８に取り付ける。下框１８ｂの、室外側の面にも同様に、ハンドル２０が設けられている方の縦框１８ｃに交差する位置に、取付具３８と連結突起３６が設けられている。
【００１７】
外障子１６は、外枠１２の開口部内側に、内障子１４の室外側で外枠１２の室外側の面同士がほぼ面一となるようにはめ込まれて取り付けられている。外障子１６の周縁部は木製の框３０で形成され、上端部が上框３０ａ、下端部が下框３０ｂ、左右の側縁部が縦框３０ｃである。框３０には、框３０の開口部の外側面を一周する取付部材３２が設けられ、取付部材３２は框３０の室外側に突出し、２枚のガラス板２４を互いに離間させて平行に取り付けている。これにより、断熱性が高いペアガラスとなっている。取付部材３２の、内障子１４の支持軸２２側の端部には、ガラス板２４の室外側に突出する固定部３２ａが設けられ、固定部３２ａには外障子１６を開閉する支持軸３４が取り付けられている。支持軸３４は、外枠１２の室外側の面に固定されている。
【００１８】
外障子１６の上框３０ａには、室内側の面に、連結金具２６が固定されている。連結金具２６は、内障子１４の連結突起３６に対向する位置、つまり支持軸３４と反対側に近い位置に設けられている。連結金具２６は、ステンレスやアルミ等の金属製であり、図３に示すように断面形状が一定の長尺部材であり、框３０の室内側の面に取り付けられる一方向に長い矩形の板体である取付部２６ａと、取付部２６ａの長手方向に沿う一対の側縁部に連続し取付面２６ａに対して略直角に立ち上がる一対の側面部２６ｂと、一対の側面部２６ｂの側縁部に連続し取付部２６ａに対して略平行な一対の係止部２６ｃで形成されている。一対の係止部２６ｃの先端部どうしは互いに離間し、一対の係止部２６ｃの先端部の間は連結突起３６が摺動するスリット２８となる。スリット２８の幅は、連結突起３６がゆとりを有して差し込まれるものであり、なおかつ連結突起３６の頭部の径よりは狭く、連結突起３６の頭部が抜け落ちることがない。連結金具２６の内側空間の大きさは、連結突起３６の頭部がゆとりを有して摺動可能となるものである。取付部２６ａには、複数個の透孔２７が長手方向に沿って所定間隔で設けられて、例えば３個の透孔２７が設けられている。連結金具２６は、ねじ等を透孔２７に差し込んで框３０に固定されている。連結金具２６は、上框３０ａの長手方向に沿って固定され、内障子１４と外障子１６が外枠１２に閉められた状態では、連結突起３６が連結金具２６の右側の端部の近傍に位置し、連結金具２６の他方の端部は連結突起３６よりも左側、つまり支持軸３４側に延出している。下框３０ｂの、室内側の面にも同様に、連結突起３６に対向する位置に、連結金具２６が設けられている。
【００１９】
次に、この実施形態の内外障子の開閉装置１０の使用方法について説明する。内障子１４と外障子１６を開ける時、ハンドル２０を操作して内障子１４を室外側に押し、支持軸２２を中心に回転させて外枠１２から開く。この時、図４に示すように、外障子１６の連結金具２６は内障子１４の連結突起３６に連結されているため、内障子１４の移動に伴い、支持軸３４を中心に回転して開く。内障子１４の支持軸２２と外障子１６の支持軸３４は、互いに異なる位置に設けられ、内障子１４と外障子１６は異なる軌跡で開くが、連結突起３６は内障子１４から直角に突出して固定され、外障子１６の連結金具２６のスリット２８に沿って摺動可能に係止されているため、連結突起３６の長さの間隔で離間しながら開く。そして、屋内外の通気を確保し、換気を行う。
【００２０】
内障子１４と外障子１６を閉める時、ハンドル２０を操作して内障子１４を外枠１２側に引いて閉じる。この時、外障子１６も内障子１４の移動に伴い、外枠１２に閉じられる。
【００２１】
この実施形態の内外障子の開閉装置１０によれば、簡単な構造でコストが安価であり、内障子１４と外障子１６が重ねて設けられた２重ガラス窓の開閉操作を容易にすることができる。内障子１４と外障子１６は、ボルトを用いた簡易な連結突起３６で互いに連結されているため、互いに連動して同時に開閉することができ、操作が簡単である。連結突起３６は内障子１４の室外側の面に対して直角に固定されているため、内障子１４の室外側の面と外障子１６の室内側の面はほぼ連結突起３６の長さに等しい間隔を保持することができ、内障子１４と外障子１６の開き角度が変化しても互いの間隔はほぼ一定の距離を保つ。これにより、内障子１４と外障子１６が互いにぶつかることがなく、框１８，３０やガラス板２４が傷つくことがなく、安全である。
【００２２】
その他、この実施形態の内外障子の開閉装置１０によれば、ガラス板２４に断熱シートを貼り付けて容易に断熱性を向上させることができ、断熱シートが破れたり剥がれたりすることがない。また、框１８，３０に着脱可能に係止する断熱シート等を、ガラス板２４から離間させて空気層を形成する状態で取り付けることもできる。また、内障子１４と外障子１６の間にブラインドを設けることもでき、ブラインドを設けることで日差しを遮り夏季の室内温度の上昇を抑える効果を高めることができる。
【００２３】
連結突起３６は、連結金具２６のスリット２８内を摺動可能なため、外枠１２に対する開き角度が変化して内障子１４と外障子１６の互いの角度や対面する位置が変化しても、円滑に摺動して、内障子１４と外障子１６の移動の支障とならず、開閉させることができる。連結金具２６の取付部２６ａには、框３０にねじ等で取り付ける透孔２７が複数個設けられ、ねじ等を差し込む位置を選択することができ、施工性が良い。
【００２４】
また、連結金具２６と連結突起３６はシンプルな形状であり、組立作業が簡単である。連結突起３６を外すことで内障子１４と外障子１６の連結を容易に解除して分離することができ、補修や清掃等のメンテナンスが容易である。しかも、連結金具２６と連結突起３６が簡単に連結されているため、故障が少ないものである。
【００２５】
さらにこの実施形態の内外障子の開閉装置１０は、簡単な構造で、コストが安価であるため、内障子１４と外障子１６が設けられた２重ガラス窓を手軽に取り入れることができ、２重ガラス窓を普及させ、住宅等に断熱性を下げずに窓を多く作ることができ、居住者が快適に生活することができる。内外障子の開閉装置１０は内障子１４と外障子１６が各々ペアガラスで作られ、ガラス板２４が４枚となり、断熱性がより高いものであり、省エネの効果が高いものである。
【００２６】
次にこの発明の第二実施形態について、図５〜図７に基づいて説明する。この実施形態の内外障子の開閉装置４２は、内障子１４と外障子１６が屋内側に開く内開きタイプである。なお、ここで上記実施形態と同様の部材は同様の符号を付して説明を省略する。
【００２７】
内外障子の開閉装置４２の内障子１４は、一対の縦框１８ｃの、図５において左側に位置する縦框１８ｃには、框１８の開口部の外側に位置する面に、内障子１４を開閉する支持軸４４が取り付けられている。支持軸４４は、外枠１２の室内側の面に固定されている。框１８の開口部内側には、２枚のガラス板２４を互いに離間させて平行に取り付け、断熱性が高いペアガラスとなっている。内障子１４の上框１８ａと下框１８ｂには、室外側の面に、上記実施の形態と同様の連結金具２６が固定されている。連結金具２６は、上框１８ａと下框１８ｂの、右側に近い位置に設けられている。
【００２８】
外障子１６は、框３０の開口部の外側面には取付部材３２が設けられ、取付部材３２は框３０の室外側に突出し、２枚のガラス板２４を互いに離間させて平行に取り付けている。これにより、断熱性が高いペアガラスとなっている。縦框３０ｃの室内側の面には、内障子１４の支持軸４４側の端部に、外障子１６を開閉する支持軸４６が取り付けられている。支持軸４６は、外枠１２の開口部内側面で外枠１２の厚みの中間付近に固定されている。
【００２９】
外障子１６の上框３０ａと下框３０ｂには、室内側の面に、内障子１４の連結金具２６に対向する位置に、上記実施形態と同様のボルト等による連結突起３６が取付具３８により取り付けられている。
【００３０】
次に、この実施形態の内外障子の開閉装置４２の使用方法について説明する。内障子１４と外障子１６を開ける時、ハンドル２０を操作して内障子１４を屋内側に引き、支持軸４４を中心に回転させて外枠１２から開く。この時、図７に示すように、外障子１６の連結突起３６は内障子１４の連結金具２６に連結されているため、内障子１４の移動に伴い、支持軸４６を中心に回転して開く。内障子１４の支持軸４４と外障子１６の支持軸４６は、互いに異なる位置に設けられ、内障子１４と外障子１６は異なる軌跡で開くが、連結突起３６は外障子１６から直角に突出して固定され、内障子１４の連結金具２６のスリット２８に沿って摺動可能に係止されているため、連結突起３６の長さの間隔で離間しながら開く。そして、屋内外の通気を確保し、換気を行う。
【００３１】
内障子１４と外障子１６を閉める時、ハンドル２０を操作して内障子１４を外枠１２に閉じる。この時、外障子１６も内障子１４の移動に伴い、外枠１２に閉じられる。
【００３２】
この実施形態の内外障子の開閉装置４２によれば、上記実施の形態と同様の効果を有するものである。内障子１４と外障子１６は内開きであり、室外側に障害物があっても開くことができ、また手を室外側に大きく伸ばすことがなく開閉操作が容易である。内開タイプでも、内障子１４と外障子１６を一定の間隔で同時に開閉することができ、円滑に開閉することができる。
【００３３】
次にこの発明の第三実施形態について図８に基づいて説明する。なお、ここで、上記実施形態と同様の部材は同様の符号を付して説明を省略する。この実施形態の内外障子の開閉装置４８は、第一実施形態の内外障子の開閉装置１０に示す外開きタイプの場合、外障子１６の上框３０ａに、框３０の開口部内側面で、ガラス板２４よりも室内側に、連結金具５０が固定されている。
【００３４】
連結金具５０は、ステンレスやアルミ等の金属製であり、図８に示すように、断面形状が一定のＬ字形の長尺部材であり、框３０の開口部内側の面に取り付けられる一方向に長い矩形の板体である取付部５０ａと、取付部５０ａの長手方向に沿う一方の側縁部に連続し取付部５０ａに対して略直角に立ち上がる側面部５０ｂで形成されている。側面部５０ｂには、側面部５０ｂの長手方向に沿うスリット５２が形成されている。スリット５２の幅は、連結突起３６がゆとりを有して差し込まれるものであり、なおかつ連結突起３６の頭の径よりは狭く、連結突起３６の頭が抜け落ちることがないものである。取付部５０ａには、複数個の透孔５４が長手方向に沿って所定間隔で設けられ、例えば３個の透孔５４が設けられている。連結金具５０は、ねじ等を透孔５４に差し込んで框３０に固定されている。
【００３５】
連結金具５０は、上框３０ａの長手方向に沿って固定され、支持軸３４と反対側に近い位置に設けられている。連結金具５０は、側面部５０ｂがガラス板２４から離れる向きに取り付けられ、側面部５０ｂは、上框３０ａから下垂して、ガラス板２４から取付部５０ａ以上の長さで離間して略平行に位置し、内障子１４に対して略平行に対面する。下框３０ｂの、室内側の面にも同様に、連結金具５０が設けられている。下框３０ｂでは、側面部５０ｂが下框３０ｂから上方に突出するように取り付けられる。
【００３６】
内障子１４には、内外障子の開閉装置１０と同様に、上框１８ａと下框１８ｂの、室外側の面に、連結突起３６が取付具３８を介して取り付けられている障子１４と外障子１６が外枠１２に閉められた状態では、連結突起３６が連結金具５０の右側の端部の近傍に位置し、連結金具５０の他方の端部は連結突起３６よりも左側、つまり支持軸３４側に延出している。下框３０ｂの、室内側の面にも同様に、連結突起３６が設けられている。
【００３７】
外障子１６のガラス板２４に対向する位置に設けられたスリット５２に、内障子１４の框１８に取り付けた連結突起３６が差し込まれるように、外障子１６の框３０は、内障子１４の框１８よりも大きく形成されている。
【００３８】
なお、この実施形態の内外障子の開閉装置４８は、第二実施形態の内外障子の開閉装置４２に示す内開きタイプでもよい。内開きタイプの場合は、内障子１４に連結金具５０が設けられ、外障子１６に連結突起３６が設けられる。
【００３９】
この実施形態の内外障子の開閉装置４８によれば、上記実施形態と同様の使用方法で、同様の効果を有するものである。さらに、連結金具５０は断面形状がＬ字形の長尺部材で簡単な構造であり、軽量で、内障子１４又は外障子１６への取付操作が容易である。
【００４０】
なお、この発明の内外障子の開閉装置は、上記各実施形態に限定されるものではなく、外枠と框は、木製以外でもよく、アルミ製等でもよい。各障子を開く方向は上記以外でもよく、支持軸の位置が左右逆でもよく、水平な軸の回りに回転するものでもよい。連結金具と連結突起の形状は上記各実施形態以外でもよく、内障子と外障子の開閉動作に追従して互いに円滑に摺動するものであれば良い。連結突起はボルト以外でもよく、連結金具に確実に取り付けられ円滑に摺動するものであれば良い。
【符号の説明】
【００４１】
１０，４２，４８  内外障子の開閉装置
１２  外枠
１４  内障子
１６  外障子
１８，３０  框
２０  ハンドル
２２，３４，４４，４６  支持軸
２４  ガラス板
２６，５０  連結金具
２６ａ，５０ａ  取付部
２６ｂ，５０ｂ  側面部
２６ｃ  係止部
２８，５２  スリット
３２  取付部材
３６  連結突起
【図１】
2016121498.tif 000003
【図２】
2016121498.tif 000004
【図３】
2016121498.tif 000005
【図４】
2016121498.tif 000006
【図５】
2016121498.tif 000007
【図６】
2016121498.tif 000008
【図７】
2016121498.tif 000009
【図８】
2016121498.tif 000010